(57)【要約】【課題】攪拌機支持フレームやフードを回転走行させる駆動装置の小型、軽量化を図った廃棄物分解処理装置の提供。【解決手段】有機廃棄物の貯留槽１の周壁３の外側に立設された多数のポスト５と、全ポストの外側を遮蔽する遮蔽筒８と、全ポストの内側に周壁と同等の高さ及びそれより高い高さで支持された円形の下部レール９及び上部レール１０と、貯留槽の中心部に立設され、下部レールと同位の下部回転テーブル１５を載置した下部架台１６と、下部回転テーブルに立設され、上部レールと同位の上部回転テーブル１７を載置した上部架台１８と、下部の回転テーブルとレールに掛け渡され、攪拌機２４を支持して貯留槽の中心回りに回転走行する攪拌機支持フレーム１９と、上部の回転テーブルとレールに掛け渡され、分配コンベヤ４５及びフード５４を支持して貯留槽の中心回りに回転走行するコンベヤ・フード支持フレーム４１とを備える。【選択図】　　　　図１
2004033799.tif 000002
【特許請求の範囲】
【請求項１】
有機廃棄物が貯留される有底円筒状の貯留槽と、貯留槽の周壁の外側に近接して立設され、周壁より高い高さの多数のポストと、各ポストの外側を結ぶ包絡線に沿って設けられ、全ポストを遮蔽する遮蔽筒と、前記各ポストの内側に貯留槽の周壁と同等の高さ及びそれより高い高さで水平に支持され、貯留槽と同心の円形の下部レール及び上部レールと、前記貯留槽の底壁の中心部に立設され、前記下部レールと同等の高さで貯留槽の中心回りに回転する下部回転テーブルを載置した下部架台と、下部回転テーブルに立設され、前記上部レールと同等の高さで貯留槽の中心回りに回転する上部回転テーブルを載置した上部架台と、前記下部回転テーブルと下部レールとの間に水平に掛け渡され、有機廃棄物を攪拌する攪拌機を支持して貯留槽の中心回りに回転走行する攪拌機支持フレームと、前記上部回転テーブルと上部レールとの間に掛け渡され、有機廃棄物を貯留槽の中心から内周辺に搬送する分配コンベヤ及び遮蔽筒の上方を覆うフードを支持して貯留槽の中心回りに回転走行するコンベヤ・フード支持フレームとを備えることを特徴とする廃棄物分解処理装置。
【発明の詳細な説明】
【０００１】
【発明の属する技術分野】
本発明は、家庭の生ごみ、家畜の糞尿、下水の汚泥等の有機廃棄物を発酵分解処理する廃棄物分解処理装置に関する。
【０００２】
【従来の技術】
従来、この種の廃棄物分解処理装置としては、特開２０００−０１８４０３号公報記載の廃棄物分解処理装置が知られている。
この廃棄物分解処理装置は、平面視円形の外壁の内側に有機廃棄物が貯留される貯留槽である円形槽と、この円形槽内を移動して該円形槽内の有機廃棄物を攪拌する攪拌機と、前記円形槽上を覆うテントと、前記円形槽の底部を経由して前記円形槽内に有機廃棄物を搬入する搬入コンベアと、前記円形槽の底部から該円形槽内にて発酵、分解された有機廃棄物を搬出する搬出コンベアと、前記円形槽および前記テントによって取り囲まれる内側の空間内の空気を脱臭槽に導く排気ダクトとを備え、前記円形槽外壁の上縁部には、前記攪拌機を支持した攪拌機支持フレームが走行する軌条が設けられ、前記テントはその下縁部に設けられた走行手段によって、前記攪拌機支持フレームと連結されてそれと同じ軌条を走行するようになっており、前記搬入コンベアによって円形槽内に搬入された前記有機廃棄物を前記円形槽内に分配、投入する分配コンベアが走行手段によって走行する分配コンベア用レールが、前記テント内側に設けられて、前記円形槽の中心線回りの円周上に延在されているものである。
【０００３】
そして、上記構成の廃棄物分解処理装置によれば、円形槽外壁上へのテントの設置を実現し、攪拌機支持フレームと干渉しない位置までテントの下縁部を円形槽中央部に近付けることによりテントを小型化している。これにより、テントが小型化、低コスト化、軽量化されるとともに、テントと円形槽とによって取り囲まれる内側の空間の容積の大幅な縮小が可能になるから、脱臭槽の小型化、低コストとを実現でき、廃棄物分解処理装置全体を低コスト化できる。また、円形槽の建設に必要となる土地面積も減少するため、用地取得が容易になる上、用地取得費用の低コスト化も実現できる。
さらに、円形槽外壁上縁部に分配コンベア用レールを設ける必要が無くなるから、円形槽外壁上縁部に設置したテントの一層の小型化が可能になる。また、前記分配コンベア用レールがテントの補強材として機能して、テントの強度を向上できるといった優れた効果を奏する、というものである。
【０００４】
【発明が解決しようとする課題】
しかし、従来の廃棄物分解処理装置では、攪拌機を支持した攪拌機支持フレーム、及び攪拌機支持フレームと連結され、分配コンベヤを搭載したテント（フード）の回転走行が、攪拌機支持フレームに搭載した一つの駆動装置によって行われているため、その駆動装置の大型化、大重量化を招来する不具合がある。
【０００５】
そこで、本発明は、攪拌機支持フレームやフードを回転走行させる駆動装置の小型化、軽量化を図り得る廃棄物分解処理装置を提供することを課題とする。
【０００６】
【課題を解決するための手段】
前記課題を解決するため、本発明の廃棄物分解処理装置は、有機廃棄物が貯留される有底円筒状の貯留槽と、貯留槽の周壁の外側に近接して立設され、周壁より高い高さの多数のポストと、各ポストの外側を結ぶ包線線に沿って設けられ、全ポストを遮蔽する遮蔽筒と、前記各ポストの内側に貯留槽の周壁と同等の高さ及びそれより高い高さで水平に支持され、貯留槽と同心の円形の下部レール及び上部レールと、前記貯留槽の底壁の中心部に立設され、前記下部レールと同等の高さで貯留槽の中心回りに回転する下部回転テーブルを載置した下部架台と、下部回転テーブルに立設され、前記上部レールと同等の高さで貯留槽の中心回りに回転する上部回転テーブルを載置した上部架台と、前記下部回転テーブルと下部レールとの間に水平に掛け渡され、有機廃棄物を攪拌する攪拌機を支持して貯留槽の中心回りに回転走行する攪拌機支持フレームと、前記上部回転テーブルと上部レールとの間に掛け渡され、有機廃棄物を貯留槽の中心から内周辺に搬送する分配コンベヤ及び遮蔽筒の上方を覆うフードを支持して貯留槽の中心回りに回転走行するコンベヤ・フード支持フレームとを備えることを特徴とする。
【０００７】
【作用】
本発明の廃棄物分解処理装置においては、攪拌機支持フレームとコンベヤ・フード支持フレームとが別個の駆動装置によって回転走行される。
【０００８】
【発明の実施の形態】
以下、本発明の実施の形態について図面を参照して説明する。
図１、図２、図３及び図４はそれぞれ本発明に係る廃棄物分解処理装置の実施の形態の一例を示す一部を省略した縦断面図、図１におけるＩＩ−ＩＩ線矢視断面図、図１における　ＩＩＩ−ＩＩＩ　線矢視断面図及び図１におけるＩＶ−ＩＶ線矢視断面図である。
【０００９】
図中１は有機廃棄物（図示せず）が貯留される有底円筒状の貯留槽で、この貯留槽１は、砕石下地２ａ上にモルタル２ｂを打設してな底壁２と、底壁２上にほぼ円筒状をなすように立設した多数のコンクリートパネル３ａからなる周壁３とから構成されており、底壁２には、この底壁２に埋設した給気管（図示せず）からの有機廃棄物への効果的な送気を可能とすべく、砕石４が敷き詰められている。
貯留槽１の周壁３の外側には、周壁３より適宜に高い高さの多数（図示例では４８本）のポスト５が周壁３に近接して立設されている。各ポスト５は、周壁３の各コンクリートパネル３ａの隣接箇所に近接してべた基礎６に立設され、上端が周壁３のそれと同等の高さのインナーポスト５ａ、インナーポスト５ａの外側にスペーサ５ｂを介在させてべた基礎６に立設され、インナーポスト５ａより適宜に高い高さのアウターポスト５ｃと、インナーポスト５ａの上端とアウターポスト５ｃの内側とを連結し、内端が周壁３の上方に延びた水平な下部レール受けアーム５ｄと、アウターポスト５ｃの上端に取り付けられ、内端がインナーポスト５ａの上方に延びた水平な上部レール受けアーム５ｅと、上部レール受けアーム５ｅの外端に立設した補助ポスト５ｆとから構成されている。
【００１０】
各ポスト５の外側には、各ポスト５の外側を結ぶ包絡線に沿うようにして棧材７が多段かつ水平に取り付けられており、これらの棧材７には、多数のパネルやシート等からなり、全ポスト５を遮蔽する遮蔽筒８が取り付けられている。
一方、各ポスト５の下部レール受けアーム５ｄの内端部上には、貯留槽１と同心の円形をなす下部レール９が水平に支持され、又、上部レール受けアーム５ｅの内端部上には、同様に貯留槽１と同心の円形をなす上部レール１０が水平に支持されている。
前記貯留槽１の底壁２の中心部には、発酵分解処理が完了した有機廃棄物（製品）を排出する排出口１１が設けられており、この排出口１１は、底壁２の下方に設けられ、製品を搬出する搬出コンベヤ１２を内装したトンネル１３と連通されている。そして、排出口１１は、前述したように底壁２に敷き詰めた砕石４の排出口１１への落下を防止し、かつ、後述する最内側の攪拌機から供給される製品を案内すべく、底壁２に立設したガイド筒１４によって囲繞されている。
又、貯留槽１の底壁２の中心部には、前記下部レール９とほぼ同等の高さで貯留槽１の中心回りに回転する下部回転テーブル１５を載置した下部架台１６が、ガイド筒１４の内側に位置して立設されており、上記下部回転テーブル１５には、前記上部レール１０とほぼ同等の高さで貯留槽１の中心回りに回転する上部回転テーブル１７を載置した上部架台１８が立設されている。
【００１１】
前記下部回転テーブル１５と下部レール９との間には、図１、図３及び図５に示すように、平面視矩形枠状を呈し、後述するように攪拌機を支持する攪拌機支持フレーム１９が、一端部を下部回転テーブル１５に固定し、かつ、他端部の両側下部に設けた車輪２０を下部レール９上に転動自在に設けることにより、下部レール９の半径方向へ水平に掛け渡されており、この攪拌機支持フレーム１９は、その他端部に搭載した図示しない駆動装置で車輪２０を回転駆動することにより、貯留槽１の中心回りに回転走行するものである。
又、下部回転テーブル１５と下部レール９との間には、攪拌機支持フレーム１９の円滑な回転走行と下部回転テーブル１５の円滑な回転の補助等を図るため、下部レール９の半径方向へ水平に延在する多数（図示例では５本）の補助杆２１が、一端部を下部回転テーブル１５に固定し、かつ、他端部の下部に設けた車輪２２を下部レール９上に転動自在に設けることにより、水平に掛け渡されており、隣り合う補助杆２１及び攪拌機支持フレーム１９の中間部間が補強杆２３によって相互に連結されている。
【００１２】
前記攪拌機支持フレーム１９には、図１、図３及び図６に示すように、有機廃棄物を攪拌する複数（図示例では５台）の攪拌機２４が、隣接するもの同士で攪拌機支持フレーム１９の回転走行方向Ａの前後に位置するようにし、貯留槽１の半径方向へ２列に配列して支持されている。
各攪拌機２４は、図７に示すように、攪拌機支持フレーム１９の長手方向を幅方向として攪拌機支持フレーム１９に垂設され、かつ、幅方向の中心部を通る垂直な枢軸２５を中心として回動可能な縦長の機枠２６と、機枠２６の上、下端に幅方向へ軸支され、両端及び中間にスプロケット２７，２８が装着された互いに平行で水平な上部、下部軸２９，３０と、上下で対向する両端及び中間のスプロケット２７，２８に巻回されたループ状のチェーン３１と、両端のチェーン３１の外側に所要間隔で掛け渡された多数のスラット３２と、曲率中心線が上部軸２９と平行な曲板状で、隣り合うチェーン３１間に収まる長さの底壁３３及び底壁３３の少なくも両端における凹曲面の一側縁寄りに先端を取り付けた搖動アーム３４を有し、隣り合うチェーン３１間において隣り合うスラット３２から底壁３３を出没可能とすべく、底壁３３の凹曲面がチェーン３１の上昇側である攪拌機支持フレーム１９の回転走行方向Ａの前側において上方となるようにして上部軸２９と平行な軸３５を介して各搖動アーム３４の基端が所要のスラット３２の内側面に枢着された多数のバケット３６と、各バケット３６の両端の搖動アーム３４のほぼ中間部の外側に上部軸２９と平行なピンを介して軸着されたコロ（共に図示せず）と、機枠２６に取り付けられ、各バケット３６を機枠２６の下方のチェーン上昇側寄り、チェーン上昇側及び上方において隣り合うスラット３２から突出させるべく各コロを転動させる突出ガイドレール（図示せず）と、機枠２６に取り付けられ、各バケット３６を機枠２６のチェーン下降側及び下方のチェーン下降側寄りにおいて隣り合うスラット間から没入させるべく、各コロを転動させる没入ガイドレール（図示せず）と、機枠２６上に搭載され、その出力軸に設けた駆動スプロケット３７と上部軸２９の一端に取り付けた従動スプロケット３８とにチェーン３９を巻回した攪拌機回転駆動装置４０とから概略構成されており、攪拌機支持フレーム１９の回転走行方向Ａの前側で有機廃棄物を掻き上げ、後側へ放出落下させ、有機廃棄物を攪拌するものである。
【００１３】
前記上部回転テーブル１７と上部レール１０との間には、図１、図４、図８及び図９に示すように、後述するように分配コンベヤ及びフードを支持して貯留槽１の中心回りに回転走行するコンベヤ・フード支持フレーム４１が掛け渡されている。
コンベヤ・フード支持フレーム４１は、主に分配コンベヤを支持するコンベヤ支持フレーム４２とフードを支持するフード支持フレーム４３とを一体的に組み合わせてなるもので、コンベヤ・フード支持フレーム４２は、中間部を上部回転テーブル１７に固定し、かつ、上部レール１０上に転動自在の車輪４４を両端部の両側下部に設けることにより、上部レール１０の直径方向へ水平に掛け渡された矩形枠状を呈してなり、その一端部には、コンベヤ・フード支持フレーム４１を貯留槽１の中心回りに回転走行すべく車輪４４を回転駆動する駆動装置（図示せず）が搭載されている。　又、コンベヤ支持フレーム４２には、後述するように供給される有機廃棄物を貯留槽１の周壁３の内側近傍に分配する分配コンベヤ４５が、中間部から一端部の近傍に及んで装着されていると共に、前述した攪拌機２４を攪拌機支持フレーム１９に着脱する際の攪拌機吊上用ホール４６が、中間部から他端部に及んで設けられている。
一方、フード支持フレーム４３は、一端部を上部回転テーブル１７に固定し、かつ、上部レール１０上を転動自在の車輪（図示せず）を他端部の下部に設けることにより、上部回転テーブル１７と上部レール１０との間に、放射状をなして水平に掛け渡された多数（図示例では６本）の小屋梁４７と、隣接する陸梁４７（コンベヤ支持フレームも含む）の中間部間及び他端部間を連結する多数の桁４８，４９と、各桁４８，４９の中間部と上部回転テーブル１７とを連結する補助陸梁５０と、上部回転テーブル１７から遠去るにつれて低くなるようにして各陸梁５０（コンベヤ支持フレームも含む）に立設した多数の束５１と、高さが同じ束５１の上端間に掛け渡した母屋５２と、上部回転テーブル１７の上方から前記遮蔽筒８の外側に及ばせて各母屋５２上に掛け渡した多数の垂木５３とからなる。
そして、フード支持フレーム４３の各垂木５３上には、多数のパネルやシート等からなるフード５４が、上部回転テーブル１７の上方に透孔５５を形成して敷設されていると共に、コンベヤ支持フレーム４２の攪拌機吊上用ホール４６と対応する部分が取り外し可能に設けられており、フード５４の透孔５５には、フード５４で覆われた遮蔽筒８内の空気を図示しない脱臭槽へ導く排気ダクト５６の一端が、相対回転可能に挿入されている。
排気ダクト５６には、フード５４の上方に配設した搬入コンベヤ５７を介して供給される廃棄物を前述した分配コンベヤ４５に供給する供給ダクト５８が垂直に貫設されている。これらの排気ダクト５６や分配コンベヤ４５等は、図示しないフレームに支持されているものである。
【００１４】
図１において５９は最内側の攪拌機２４から放出される製品をガイド筒１４へ導くガイド樋である。
又、図３において６０は各ポスト５の下部レール受けアーム５ｄ上に掛け渡した円形の作業デッキ、図３、図６において６１は攪拌機支持フレーム１９の一側に設けた作業デッキであり、図５において６２は下部レール９等を補強するレールアンダースチフナで、各ポスト５の下部レール受けアーム５ｄの先端部間を連結するものである。
更に、図４においては６３は各ポストの上部レール受けアーム５ｅ上に掛け渡した円形の作業デッキ、図４、図８及び図９において６４はコンベヤ・フード支持フレーム４１におけるコンベヤ支持フレーム４２の一側に設けた作業デッキであり、図８において６５は上部レール１０等を補強するレールアンダースチフナで、各ポスト５の上部レール受け５ｅの先端部間を連結するものである。
【００１５】
上述した廃棄物分解処理装置によって有機廃棄物を分解処理するには、先ず、攪拌機支持フレーム１９とコンベヤ・フード支持フレーム４１とをそれぞれの駆動装置の作動により、貯留槽１の中心回りに位相を違えて同方向へ回転走行させると共に、各攪拌機２４をそれぞれの攪拌機回転駆動装置４０の作動により回転駆動し、かつ、有機廃棄物を搬入コンベヤ５７、供給ダクト５８及び分配コンベヤ４５を介して貯留槽１の周壁３の内側近傍に分配供給する一方、貯留槽１の底壁２の給気管から砕石４を経て有機廃棄物に空気を供給し、かつ、フード５４で覆われた遮蔽筒８内の空気を排気ダクト５６を介して脱臭槽へ導くと、有機廃棄物は、それぞれの攪拌機２４により攪拌機支持フレーム１９の回転走行方向Ａの前側で掻き上げられ、かつ、後側で放出落下させられて攪拌されつつ漸次発酵分解されると共に、次第に貯留槽１の中心部に向って移動させられる。
そして、発酵分解処理が完了した有機廃棄物（製品）は、最内側の攪拌機２４から放出落下された後、ガイド樋５９及びガイド筒１４を介して搬出コンベヤ１２上に供給され、この搬出コンベヤ１２によって図示しない製品ヤードに搬送され、貯留されるものである。
【００１６】
なお、上述した実施の形態においては、攪拌機２４が隣り合うスラット３２間から突出、没入可能なバケット３６を有するものとする場合について説明したが、これに限定されるものではなく、チェーン間に掻き板を掛け渡したもの、その他のものであってもよい。
又、有機廃棄物の貯留槽１内への搬入は、貯留槽１の中央部の上方から行う場合に限らず、バケットコンベヤや圧送ポンプ等を用いて貯留槽１の底壁２の中央部から行って分配コンベヤ４５に供給するようにしてもよい。
【００１７】
【発明の効果】
以上説明したように、本発明の廃棄物分解処理装置によれば、攪拌機支持フレームとコンベヤ・フード支持フレームとが別個の駆動装置によって回転走行されるので、攪拌機支持フレームやフードを回転走行させる駆動装置の小型化、軽量化を図ることができると共に、それぞれの回転走行の制御を容易に行うことができる。
【図面の簡単な説明】
【図１】本発明に係る廃棄物分解処理装置の実施の形態の一例を示す一部を省略した縦断面図である。
【図２】図１におけるＩＩ−ＩＩ線矢視断面図である。
【図３】図１における　ＩＩＩ−ＩＩＩ　線矢視断面図である。
【図４】図１におけるＩＶ−ＩＶ線矢視断面図である。
【図５】図３におけるＶ−Ｖ線矢視断面図である。
【図６】図３におけるＶＩ−ＶＩ線矢視断面図である。
【図７】図１の廃棄物分解処理装置における攪拌機の一部を省略した正面図である。
【図８】図４におけるＶＩＩＩ−ＶＩＩＩ線矢視断面図である。
【図９】図４におけるＩＸ−ＩＸ線矢視断面図である。
【符号の説明】
１　貯留槽
２　底壁
３　周壁
５　ポスト
５ａ　インナーポスト
５ｃ　アウターポスト
５ｄ　下部レール受けアーム
５ｅ　上部レール受けアーム
５ｆ　補助ポスト
８　遮蔽筒
９　下部レール
１０　上部レール
１５　下部回転テーブル
１６　下部架台
１７　上部回転テーブル
１８　上部架台
１９　攪拌機支持フレーム
２４　攪拌機
４１　コンベヤ・フード支持フレーム
４２　コンベヤ支持フレーム
４３　フード支持フレーム
４５　分配コンベヤ
５４　フード
【図１】
2004033799.tif 000003
【図２】
2004033799.tif 000004
【図３】
2004033799.tif 000005
【図４】
2004033799.tif 000006
【図５】
2004033799.tif 000007
【図６】
2004033799.tif 000008
【図７】
2004033799.tif 000009
【図８】
2004033799.tif 000010
【図９】
2004033799.tif 000011